【手続補正書】
【提出日】平成17年7月7日(2005.7.7)
【手続補正１】
【補正対象書類名】明細書
【補正対象項目名】特許請求の範囲
【補正方法】変更
【補正の内容】
【特許請求の範囲】
【請求項１】
紫外領域の放射強度が、他の領域に比べて相対的に大きい光源と、
その光源から出射された光を波長分散する１枚の回折格子と、
その回折格子で分散された光の光路上に配置された偏光子と、
その偏光子から出射された直線偏光を変調し、左円偏光と右円偏光を交互に生成可能な変調手段と、
その変調手段で変調された光の光路上に配置されたフローセルと、
そのフローセルを透過した光を受光する光検知手段とを備えたＨＰＬＣ用円二色性検出器。
【請求項２】
紫外領域の放射強度が、他の領域に比べて相対的に大きい光源と、
その光源から出射された光を直線偏光にする偏光子と、
その偏光子から出射される直線偏光を波長分散する１枚の回折格子と、
その回折格子で分散された直線偏光を変調し、左円偏光と右円偏光を交互に生成可能な変調手段と、
その変調手段で変調された光の光路上に配置されたフローセルと、
そのフローセルを透過した光を受光する光検知手段とを備えたＨＰＬＣ用円二色性検出器。
【請求項３】
請求項２の回折格子は、格子面が凹面状の凹面回折格子であり、
前記光源から出射された光は、収束されることなく前記偏光子を経て前記凹面回折格子に照射され、
その凹面回折格子にて、光を波長分散するとともに収束させるようにしたことを特徴とする請求項２に記載のＨＰＬＣ用円二色性検出器。
【請求項４】
前記回折格子に替えて、紫外領域の所定波長を通過するバンドパスフィルタを設けたことを特徴とする請求項１〜３のいずれか１項に記載のＨＰＬＣ用円二色性検出器。
【請求項５】
前記回折格子の格子面に保護板を取り付け、前記格子面を外気と遮断するようにしたことを特徴とする請求項１〜３のいずれか１項に記載のＨＰＬＣ用円二色性検出器。
【請求項６】
前記光検知手段は、フォトダイオードであることを特徴とする請求項１〜５のいずれか１項に記載のＨＰＬＣ用円二色性検出器。
【請求項７】
前記光源は、ＨｇＸｅランプ，Ｈｇランプ，重水素ランプのいずれかであることを特徴とする請求項１〜６のいずれか１項に記載のＨＰＬＣ用円二色性検出器。
【請求項８】
前記偏光子を回転させる回転手段をさらに設け、
その回転手段は前記偏光子を光軸周りに回転させて偏光方向を回転させるものであることを特徴とする請求項２に記載のＨＰＬＣ用円二色性検出器。
【請求項９】
前記回折格子を回転させる回転手段をさらに設け、
その回転手段は前記回折格子をその法線方向を中心として回転させて前記偏光子を通過した直線偏光の偏光方向と前記回折格子の相対角度位置を調整可能としたことを特徴とする請求項２に記載のＨＰＬＣ用円二色性検出器。
【手続補正２】
【補正対象書類名】明細書
【補正対象項目名】００１４
【補正方法】変更
【補正の内容】
【００１４】
本発明は、上記した背景に鑑みてなされたもので、その目的とするところは、上記した問題を解決し、ＨＰＬＣ用に適し、迷光の影響がなく、大きな円二色性信号を取り出すことができ、構造が簡素でコストも掛からないＨＰＬＣ用円二色性検出器を提供することにある。
【手続補正３】
【補正対象書類名】明細書
【補正対象項目名】００２３
【補正方法】変更
【補正の内容】
【００２３】
分散素子に回折格子を使用すると、回折格子は分散が大きく波長により余り変化しないので、波長駆動系が簡単ですみ、また、光路長も例えば３５０ｍｍ程度と小さくて済むので、プリズムを用いる場合に比べて、光学系が小型化し、使用する光学素子の数も少なくできる。また、スリット幅も固定にしたままで一定のスペクトル幅が得られるので、スリット幅を可変にしなくても良くなり、係る点でも装置全体の小型化が図れる。
【手続補正４】
【補正対象書類名】明細書
【補正対象項目名】００５６
【補正方法】変更
【補正の内容】
【００５６】
なお、上記した各実施の形態では、変調手段としてＰＥＭを用いたが、本発明はこれに限ることはなくポッケルセルなどを用いてもよい。但し、本発明では紫外領域の光を使用するため、取り扱いの容易さ並びに耐久性等を考慮するとＰＥＭの方が好ましい。
【手続補正５】
【補正対象書類名】明細書
【補正対象項目名】００６０
【補正方法】変更
【補正の内容】
【００６０】
図１１は、本発明の第５の実施の形態を示している。本実施の形態では、図５に示す第２の実施の形態を基本とし、偏光子２５を光軸周りに回転自在としている。具体的には、光源１０から回折格子Ｇに至る光路の途中に、その光路を遮るように取付板３０を配置する。この取付板３０には、その光路に貫通孔３０ａを設けて軸受け３１を構成する。そして、偏光子２５を両端開口した筒状のホルダ３２に装着し、そのホルダ３２を、軸受け３１に回転自在に取り付ける。また、ホルダ３２の端面には、第１ギヤ３３が取り付けられている。もちろん、第１ギヤ３３の中央も貫通孔が設けられ、光源１０からの光は通過できるようにしている。
【手続補正６】
【補正対象書類名】明細書
【補正対象項目名】００７１
【補正方法】変更
【補正の内容】
【００７１】
図１２は、上記した第５の実施の形態の効果を実証するクロマトグラムである。すなわち、同一濃度のＤ−Ｔｒｙｐｔｏｐｈａｎ  Ｌ−Ｔｒｙｐｔｏｐｈａｎのを同一注入量注入したクロマトグラムを示す。Tryptophanは２８０ｎｍにおいて吸収が強く円二色性の信号が小さく更に強い蛍光を示すため光学系に小さな偏光特性があってもクロマトグラムの対称性を大きく崩してしまうおそれがある。しかし、本形態では、係る条件の下でも対称なクロマトグラムが得られた。
【手続補正７】
【補正対象書類名】明細書
【補正対象項目名】００７３
【補正方法】変更
【補正の内容】
【００７３】
図１４は、第５の実施の形態の検出器に接続される信号処理装置の具体的なブロック図を示している。同図に示すように、光源１０から出た光はレンズＬで集光され透過軸が回転可能な偏光子２５に進む。偏光子２５を透過した光は回折格子Ｇに入射し、そこにおいて回折された光のうち決められた波長の光だけが次のＰＥＭ１３に向かう。ＰＥＭ１３で位相変調された光はフローセル１５を透過しフォトダイオード１９に進む。フォトダイオード１９で光信号は電気信号に変換され電圧として出力され、後段の信号処理装置５０に至る。なお、回折格子Ｇは、モータ４９の出力を受けて回転し、ある設定された波長の光がフォトダイオード１９に入るように作動する。
【手続補正８】
【補正対象書類名】明細書
【補正対象項目名】００７７
【補正方法】変更
【補正の内容】
【００７７】
このＶｄはＰＥＭ変調の位相差零の位置に同期してサンプルホルドされた信号であるので正確には直線偏光の強度でありＬＯＧ変換は直線偏光の吸収を算出することになるが普通の分光器による吸収スペクトルと同じように利用できる。これにより本発明のＣＤ検出器ではＣＤ信号と同時にＵＶ吸収の測定が可能となった。この装置では回折格子Ｇをモータ４９で回転することにより波長をスキャンしてＣＤスペクトルとＵＶスペクトルを同時に計算して内部メモリーに保存したり出力端子６１に出力できるようになっている。
【手続補正９】
【補正対象書類名】明細書
【補正対象項目名】００８１
【補正方法】変更
【補正の内容】
【００８１】
すなわち、従来はフローセルから光検知器（フォトマル）をできるだけ離すとともにマスクをして偽の円二色性信号を小さくしていた。この為装置は長大で使い難い。しかし本形態では、偏光子を回転する方法で図１８に示すように偽円二色性信号を完全に消去することが可能となり、窓板の締め付けやフローセル内壁の反射等による円二色性信号の対称性の崩れを除去できるためフローセルの交換や窓板の交換や窓板の交換のたびに行なわれていた光学系を再調整する必要がなくなる。
【手続補正１０】
【補正対象書類名】明細書
【補正対象項目名】００８４
【補正方法】変更
【補正の内容】
【００８４】
右円偏光として観測される信号の大きさはこのベクトルがδまで回転する間のＳ３軸へ射影される長さになり、左円偏光として観測される信号の大きさはベクトルが−δまで回転する間にＳ３軸へ射影される長さになる。光学系が左右円偏光に対して完全に対称であれば右円偏光信号と左円偏光信号の強度は±δの瞬間に最大になり、その大きさは等しい。レンズＬと回折格子Ｇの間に偏光子２５を置いて回転する操作は、ＰＥＭ変調の基準軸がポアンカレ球上で傾くことを意味する。その状態を図２０に示す。
【手続補正１１】
【補正対象書類名】明細書
【補正対象項目名】００９６
【補正方法】変更
【補正の内容】
【００９６】
【発明の効果】
以上のように、本発明に係るＨＰＬＣ用円二色性検出器では、光源としてＨｇＸｅランプやＨｇランプなどの紫外領域で相対的に強い放射強度を有するものを用い、しかも、光学系としては、１枚の回折格子やバンドパスフィルタ等を用いることにしたため、迷光もなくまた光学系での損失も少なくなるので、結果として円二色性信号を大きく採ることができる。そして、回折格子の格子面に保護板を設けることにより、回折格子の耐久性も向上させることができる。また、光検知手段としてフォトダイオードを用いると、強い光を受光しても破損することがないので好ましい。さらに、小型化が図れ、迷光の侵入を可及的に抑制できる点でも好ましい。
【手続補正１２】
【補正対象書類名】図面
【補正対象項目名】図１４
【補正方法】変更
【補正の内容】
【図１４】
1999201959.tif 000001
【手続補正１３】
【補正対象書類名】図面
【補正対象項目名】図１８
【補正方法】変更
【補正の内容】
【図１８】
1999201959.tif 000002